(57)【特許請求の範囲】
【請求項１】
フレームのリムに複数のスイッチを設け、前記複数のスイッチの組み合わせによる入力がなされたときに眼鏡機能が切り替わることを特徴とする電子眼鏡。
【請求項２】
前記眼鏡機能は、レンズの焦点距離を切替える機能であることを特徴とする請求項１に記載の電子眼鏡。
【請求項３】
前記複数のスイッチは、前記リムの上部と下部とに分かれて配置されていることを特徴とする請求項１に記載の電子眼鏡。
【請求項４】
前記複数のスイッチは、前記リムの上部に所定の間隔を設けて配置された第１のスイッチと第２のスイッチと、前記リムの下部に前記第１のスイッチと前記第２のスイッチとの中間位置に配置された第３のスイッチとからなることを特徴とする請求項１に記載の電子眼鏡。
【請求項５】
前記所定の間隔は、人間の人差し指または薬指の先の幅に相当する長さ以上であることを特徴とする請求項４に記載の電子眼鏡。
【請求項６】
フレームのテンプルに複数のスイッチを設け、前記複数のスイッチの組み合わせによる入力がなされたときに眼鏡機能が切り替わることを特徴とする電子眼鏡。
【請求項７】
前記眼鏡機能は、レンズの焦点距離を切替える機能であることを特徴とする請求項６に記載の電子眼鏡。
【発明の詳細な説明】
【技術分野】
【０００１】
本発明は、電気的に焦点距離の切り替えを行う電子眼鏡に関するものである。
【背景技術】
【０００２】
電気的に焦点距離を切り替える電子眼鏡として、レンズの中に液晶などの誘電体材料を封入し、これに電圧をかけて誘電率を変化させることで屈折率を制御する可変焦点レンズを用いた方式が提案されている（例えば、特許文献１参照）。
【０００３】
そして、電子眼鏡の焦点を切り替えるスイッチとして、左右の鼻パッドに設けた電極を鼻に押し付けたときに生じる接触抵抗変化を利用した構成が提案されている（例えば、特許文献１参照）。
【特許文献１】特開平１１−３５２４４５号公報
【特許文献２】特開２００７−２１２５０１号公報
【発明の開示】
【発明が解決しようとする課題】
【０００４】
しかしながら、前記従来の構成では、電子眼鏡の位置を調整するときに、鼻パッド近傍に位置するブリッジを摘まんだり押したりするため、意図しないときにスイッチが入り誤作動が発生しやすいという課題を有していた。
【０００５】
本発明は、前記従来の課題を解決するもので、使用者が電子眼鏡を取り扱うときに誤動作の起り難い電子眼鏡を提供することを目的とする。
【課題を解決するための手段】
【０００６】
前記従来の課題を解決するために、本発明の電子眼鏡は、フレームのリムに複数のスイッチを設け、前記複数のスイッチの組み合わせによる入力がなされたときに眼鏡機能が切り替わることを特徴としたものである。
【０００７】
さらに、本発明の電子眼鏡は、フレームのテンプルに複数のスイッチを設け、前記複数のスイッチの組み合わせによる入力がなされたときに眼鏡機能が切り替わることを特徴としたものである。
【発明の効果】
【０００８】
本発明の電子眼鏡によれば、使用者が電子眼鏡の機能切り替え以外の目的で、誤って電子眼鏡のスイッチに触っても誤動作の起り難い電子眼鏡の提供を目的とする。
【発明を実施するための最良の形態】
【０００９】
以下に、本発明の電子眼鏡の実施の形態を図面とともに詳細に説明する。
【００１０】
（実施の形態１）
本発明の実施の形態１について、図１を用いて説明する。 図１は本発明の実施の形態１における電子眼鏡の構成を示す図である。この図に示す電子眼鏡は、電圧信号によって焦点が切り替わる可変焦点レンズ１と、可変焦点レンズ１を固定するフレームのリム２と、フレームのリム２の下部のスイッチ３と、フレームのリム２の上部のスイッチ４、５と、フレームのリム２の鼻位置に取り付けられた鼻パッド６と、フレームのリム２に接続されたテンプル７と、フレームのリム２とテンプル７との接続位置近傍に配置された電子回路（図示せず）とで構成されている。
【００１１】
ここで、フレームのリム２の下部のスイッチ３と上部のスイッチ４及び５の３つのスイッチは、フレームのリム２の内部又は可変焦点レンズ１表面の透明電極を通して電子回路に接続されている。
【００１２】
電子回路は、電池（図示せず）から電力が供給され、下部のスイッチ３及び上部のスイッチ４、５がすべて押されたときに、電子回路内のドライバー回路から可変焦点レンズ１に電圧を印加して焦点の切り替えが行われる。遠方視野、近方視野、電源オフなどのモードは、これらのスイッチ３、４、５が全て押されるたびに現在の状態から次の状態へ順番に切替えられる。スイッチ３、４、５は、人間の皮膚との接触抵抗を検知する電極センサー、圧電材料を使用し圧力を電気信号に変換するタッチセンサー、機械的なプッシュセンサーなどを使用することができる。また、スイッチ３、４、５は、電子眼鏡を顔に掛けた時に、各々のスイッチの位置を容易に識別することが出来るようにスイッチ表面には凹又は凸が形成されている。そのため、指先の感触で各々のスイッチの位置を容易に確認できる。
【００１３】
可変焦点レンズ１は、電圧により屈折率が変化する液晶を用いて焦点を切替える液晶レンズや、液体の入った弾性体に外部から圧力を制御し弾性体の曲率を変えて焦点を切替える弾性体レンズなどが使用できる。
【００１４】
次に、本発明の実施の形態１における動作を説明する。電子眼鏡の３つのスイッチが右側のフレームのリム２に設置してある電子眼鏡において、その電子眼鏡を装着している状態で、焦点の切り替えを行いたいとき、右手の親指をフレームのリム２の下部のスイッチ３へ、人差し指を上部のスイッチ４へ、薬指を上部のスイッチ５へ移動し、３つの指が各々のスイッチにすべて触れたときに電気回路に焦点切替の指令がなされ可変焦点レンズ１に電圧が印加されて焦点の切替が行われる。このとき、フレームのリム２に設置されたスイッチの位置は見えないが、スイッチの表面に凹又は凸状物が設けられているため、指への感触で位置を確定できる。
【００１５】
次に、本発明の実施の形態２における動作を説明する。３つのスイッチ３、４、５が右側のリム２に設置された電子眼鏡を顔に掛けたとき、焦点の切り替えを行いたい場合は、以下のように操作する。右手の親指をリム２の下部のスイッチ３へ、人差し指を上部のスイッチ５へ、薬指を上部のスイッチ４へ移動し、３つの指が各々のスイッチを全て押す。この操作をすると、電気回路に焦点切替の指令がなされ可変焦点レンズ１に電圧が印加されて焦点の切替が行われる。このとき、リム２に設置されたスイッチの位置は見えないので、スイッチの表面に凹又は凸状物が設けられている。これは、指への感触でスイッチの位置を認識できるようにするためである
スイッチを下部に１ヶ所、上部に２ヶ所設けることにより、下部のスイッチは親指で上部のスイッチは人差し指と中指とで押さえることが出来、手首が楽な姿勢で確実に各々のスイッチを操作することができる。一方、通常、人が無意識に眼鏡の位置を調整するときには、１本又は２本の指で眼鏡に触れるため、上記のように配置された３個のスイッチを同時に触れるには意識して操作する必要がある。従って、こうような配置にすると、誤った操作で焦点切替スイッチを入れてしまうことが少なくなる。
【００１６】
また、フレームのリム２の上部のスイッチ４と５との間隔は、２つのスイッチの中心間距離が人間の人差し指または薬指の先の幅に相当する長さ以上開いていれば、２本の指がお互いに触れることなく別々に操作すべきスイッチに触れることができる。さらに、前記上部のスイッチ４と５との中間に相当する位置の下側に下部のスイッチ３を設置することで、親指、人差し指、薬指の３本の指でより快適にフレームのリム２の３ヶ所のスイッチを操作することができる。
【００１７】
ここでは、３ヶ所のスイッチを上部に２ヶ所と下部に１ヶ所設けたが、上部を１ヶ所にして２本の指で挟むようにした構成においても、スイッチの誤入力は格段に減少する。また、動作例では右側のフレームのリム２にスイッチを配置した構成を示し、右手でスイッチを操作したが、スイッチを設置するフレームのリム２及びスイッチ操作を行う手は左右どちらでも良い。
【００１８】
（実施の形態２）
本発明の第２の実施例について、図２を用いて説明する。図２は本発明の実施の形態２における電子眼鏡の構成を示す図である。この図に示す電子眼鏡は、電圧信号によって焦点が切り替わる可変焦点レンズ１と、可変焦点レンズ１を固定するフレームのリム２と、フレームのリム２に接続されたテンプル７と、テンプル７の下部のスイッチ８と、テンプル７の上部のスイッチ９、１０と、フレームのリム２の鼻位置に取り付けられた鼻パッド６と、フレームのリム２とテンプル７との接続位置近傍に配置された電子回路（図示せず）とで構成されている。
【００１９】
ここで、テンプル７の下部のスイッチ８と上部のスイッチ９及び１０の３つのスイッチは、テンプル７を通して電子回路にそれぞれ接続されている。
【００２０】
電子回路は、電池（図示せず）から電力が供給され、下部のスイッチ８及び上部のスイッチ９、１０がすべて押されたときに、電子回路のドライバー回路から可変焦点レンズ１に電圧が印加され焦点の切り替えが行われる。遠方視野、近方視野、電源オフなどのモードは、スイッチ８、９、１０がすべて押されるたびに現在の状態から次の状態へ順番に切替えられる。
【００２１】
スイッチ８、９、１０は、人間の皮膚との接触抵抗を検知する電極センサー、圧電材料を使用し圧力を電気信号に変換するタッチセンサー、機械的なプッシュセンサーなどが使用できる。また、スイッチ８、９、１０は、スイッチ表面に凹又は凸が形成されており、指先の感触でスイッチの位置が確認できるので、電子眼鏡装着時に視認できないスイッチを認識できるようにしてある。可変焦点レンズ１は、電圧により屈折率が変化する液晶を用いて焦点を切替える液晶レンズや、液体の入った弾性体に外部から圧力を制御し弾性体の曲率を変えて焦点を切替える弾性体レンズなどが使用できる。
【００２２】
次に、本発明の実施の形態２における動作を説明する。３つのスイッチ８、９、１０が右側のテンプル７に設置された電子眼鏡を顔に掛けたとき、焦点の切り替えを行いたい場合は、以下のように操作する。右手の親指をテンプル７の下部のスイッチ８へ、人差し指を上部のスイッチ１０へ、薬指を上部のスイッチ９へ移動し、３つの指が各々のスイッチを全て押す。この操作をすると、電気回路に焦点切替の指令がなされ可変焦点レンズ１に電圧が印加されて焦点の切替が行われる。このとき、テンプル７に設置されたスイッチの位置は見えないので、スイッチの表面に凹又は凸状物が設けられている。これは、指への感触でスイッチの位置を認識できるようにするためである。
【００２３】
スイッチを下部に１ヶ所、上部に２ヶ所設けることにより、下部のスイッチは親指で上部のスイッチは人差し指と中指とで押さえることが出来、手首が楽な姿勢で確実に各々のスイッチを操作することができる。一方、通常、人が無意識に眼鏡の位置を調整するときには、１本又は２本の指で眼鏡に触れるため、上記のように配置された３個のスイッチを同時に触れるには意識して操作する必要がある。従って、こうような配置にすると、誤った操作で焦点切替スイッチを入れてしまうことが少なくなる。
【００２４】
また、フレームのテンプル７の上部のスイッチ９と１０との間隔は、２つのスイッチの中心間距離が人間の人差し指または薬指の先の幅に相当する長さ以上開いていれば、２本の指がお互いに触れることなく別々に操作すべきスイッチに触れることができる。さらに、前記上部のスイッチ９と１０との中間に相当する位置の下側に下部のスイッチ８を設置することで、親指、人差し指、薬指の３本の指でより快適にフレームのテンプル７の３ヶ所のスイッチを操作することができる。
【００２５】
ここでは、３箇所のスイッチを上部に２ヶ所と下部に１ヶ所設けたが、上部を１ヶ所にして２本の指で挟むようにした構成においても、スイッチの誤入力は格段に減少する。また、動作例では右側のテンプル７にスイッチを配置した構成を示し、右手でスイッチを操作したが、スイッチを設置するテンプル７及びスイッチ操作を行う手は、左右どちでも良い。
【００２６】
以上のように、本発明によれば、使用者が電子眼鏡の電気的な機能切り替え以外の目的で、電子眼鏡を触っても誤動作がしにくく、快適な焦点切替などの電気的な機能切替えを行うことができる。
【産業上の利用可能性】
【００２７】
本発明にかかる電子眼鏡は、複数のスイッチを電子眼鏡のフレームのリム又はテンプルの上部と下部とに分けて配置し、この複数のスイッチを全て入れたときに電気的な機能を切り替えることにより、使用者が電子眼鏡の機能切り替え以外の目的で電子眼鏡を触っても誤動作が起こり難い電子遠近両用眼鏡等に有用である。
【図面の簡単な説明】
【００２８】
【図１】本発明の実施の形態１における電子眼鏡の構成を示す図
【図２】本発明の実施の形態２における電子眼鏡の構成を示す図
【符号の説明】
【００２９】
１  可変焦点レンズ
２  フレームのリム
３、８  下部のスイッチ
４、５、９、１０  上部のスイッチ
６  鼻パッド
７  テンプル
【図１】
0005034825.tif 000002
【図２】
0005034825.tif 000003